(57)【特許請求の範囲】
【請求項１】
乾電池(５)及びプリント配線基板(３)を具え、操作面の操作ボタン部(43)を押圧して相手受信機器に信号を送るリモートコントローラにおいて、該コントローラのキャビネット(１)は１パーツで形成され、一端側の操作部領域(11)と他端側の持ち手部領域(12)からなり、操作側正面において操作部領域(11)は全面が開口し、持ち手部領域(12)は該操作部領域(11)の開口面よりも一段高くなった閉塞板部(12a)によって全面が閉塞し、操作部領域(11)の全面開口をプリント配線基板(３)で塞いで該プリント配線基板(３)の端部が閉塞板部(12a)の裏面側に差し込まれ、プリント配線基板(３)の表面が装飾を兼用するボタンシート(４)で覆われ、キャビネット(１)の背面において操作部領域(11)に少し食い込んで持ち手部領域(12)の全面が開口して該開口(15)に別体の蓋(２)が取り付けられ、前記持ち手部領域(12)の閉塞板部(12a)と蓋(２)との間に乾電池(５)が収容されているリモートコントローラ。
【請求項２】
ボタンシート(４)は、シリコン樹脂にて形成され隆起したボタン部(43)を有するボタンシート本体(41)と、該本体に被さり本体のボタン部(43)が外部に臨出する孔(45)を有する飾りシート(42)とによって構成され、ボタン部(43)の裏面に接点部(44)が形成されている請求項１に記載のリモートコントローラ。
【請求項３】
ボタンシート(４)は、可撓性合成樹脂にて形成され隆起したボタン部(43)を有し、該ボタン部(43)の裏面に接点部(44)が形成されている１枚ものシートである請求項１に記載のリモートコントローラ。
【請求項４】
キャビネット(１)の操作側正面の持ち手部領域(12)の表面にも飾りシート(42)が延長して接着されている請求項２に記載のリモートコントローラ。
【請求項５】
キャビネット(１)内の操作部領域(11)にも乾電池(５)の収容空間が延びている請求項１乃至４の何れかに記載のリモートコントローラ。
【請求項６】
プリント基板(３)は、持ち手部領域(12)の閉塞板部(12a)の裏面に差し込まれる部分に電子部品群(35)を搭載している請求項１乃至５の何れかに記載のリモートコントローラ。
【発明の詳細な説明】
【０００１】
【発明の属する分野】
本発明は、乾電池仕様のリモートコントローラに関し、キャビネットを１パーツで形成したことを特徴とするものである。
【０００２】
【従来の技術及び発明が解決しようとする課題】
図１２は、従来の乾電池仕様のリモートコントローラを示しており、トップキャビネット(72)とボトムキャビネット(71)からなるキャビネット(７)内にプリント配線基板(３)、ボタンシート(４)を設け、ボタンシート(４)のボタン部(43)をトップキャビネット(72)の孔(74)から臨出させている。
【０００３】
ボトムキャビネット(71)には電池挿脱口(73)が開設され、該挿脱口(73)に蓋(２)が取り付けられている。
上記キャビネット(７)は、夫々合成樹脂の射出成形によって形成されたボトムキャビネット(71)とトップキャビネット(72)の２パーツにて構成されており、この様にボトムキャビネット(71)とトップキャビネット(72)を別個の金型で形成することは、金型代が製造コストを大きく押し上げることになる。
キャビネット(１)を１パーツで形成することは不可能ではないが、金型が複雑となり、更なるコスト高を招来することになる。
【０００４】
本発明は、上記問題を解決できる乾電池仕様のリモートコントローラを明らかにするものである。
【０００５】
【課題を解決する手段】
本発明のリモートコントローラは、乾電池(５)及びプリント配線基板(３)を具え、操作面の操作ボタン部(43)を押圧して相手受信機器に信号を送るリモートコントローラにおいて、該コントローラのキャビネット(１)は１パーツで形成され、一端側の操作部領域(11)と他端側の持ち手部領域(12)からなり、操作側正面において操作部領域(11)は全面が開口し、持ち手部領域(12)は該操作部領域(11)の開口面よりも一段高くなった閉塞板部(12a)によって全面が閉塞し、操作部領域(11)の全面開口をプリント配線基板(３)で塞いで該プリント配線基板(３)の端部が閉塞板部(12a)の裏面側に差し込まれ、プリント配線基板(３)の表面が装飾を兼用するボタンシート(４)で覆われ、キャビネット(１)の背面において操作部領域(11)に少し食い込んで持ち手部領域(12)の全面が開口して該開口(15)に別体の蓋(２)が取り付けられ、前記持ち手部領域(12)の閉塞板部(12a)と蓋(２)との間に乾電池(５)が収容されている。
【０００６】
【作用及び効果】
キャビネット(１)は、操作面側正面における操作部領域(11)の全面開口に対して、キャビネット(１)背面における持ち手部領域(12)の全面開口は操作部領域(11)側に少し食い込んで開設されているため、キャビネット(１)を操作側正面の金型部材(62)と背面側の金型部材(63)とによって構成される割金型(６)にてアンダーカットを生じることなく合成樹脂の射出成形によって形成できる。
【０００７】
従来の様に、ボトムキャビネット(71)とトップキャビネット(72)の接合によってキャビネットを形成することに較べて、製造コストを低減できる。
キャビネット(１)に持ち手部領域(12)を設けたため、一方の手で該持ち手部領域(12)を掴み、他方の手で操作部領域(11)のボタン部(43)を操作できるので操作性がよい。
プリント配線基板(３)の一端は、持ち手部領域(12)の閉塞板部(12a)の下方に潜り込むため、取り付けが安定する。
【０００８】
【発明の実施の形態】
第１実施例(図１乃乃至４)
図１のリモートコントローラは、略扁平の直方体に形成されている。
キャビネット(１)の操作側正面において、操作部領域(11)は全面が開口し、持ち手部領域(12)は閉塞板部(12a)によって全面が閉塞している。該閉塞板部(12a)は操作部領域(11)の開口面よりも一段高くなっている。
操作部領域(11)において、キャビネット(１)の内周部には後記するプリント配線基板(３)を支えるための複数の支え片(13)(13)が突設されている。
【０００９】
キャビネット(１)の背面において、持ち手部領域(12)は操作部領域(11)に食い込んで全面が開口し、該開口(15)にキャビネット(１)とは別体の蓋(２)を着脱可能に取り付けている。
持ち手部領域(12)の裏面には２本の単３型乾電池を平行に収容する電池収容部(16)が形成されている。
【００１０】
前記操作部領域(11)の開口面にプリント配線基板(３)が嵌め込まれ、支え片(13)(13)にて開口面に揃う様に支えられる。
プリント配線基板(３)の幅はキャビネット(１)の操作部領域(11)の開口幅に対応し、長さは開口長さよりも長く、プリント配線基板(３)の一端は、持ち手部領域(12)の閉塞板部(12a)の下方に潜り込むため、取り付けが安定する。
プリント配線基板(３)には外面に複数の接電部(31)(31)及び導電パターン(図示せず)が形成され、一端側にＩＣチップ(32)を含む電子部品群(35)が搭載されている。プリント配線基板(３)の裏面にはコンデンサ等の電子部品(図示せず)、赤外線発光素子(33)、乾電池用端子(34)(34)が設けられている。
【００１１】
プリント配線基板(３)は操作側面にのみ導電パターンを有する片面プリント配線基板であり、裏面の電子部品はそれらの端子を基板を貫通させて導電パターンに半田付けされている。
上記プリント配線基板(３)は、図１に示す如く、ＩＣチップ(32)を含む電子部品群(35)が持ち手部領域(12)の閉塞板部(12a)に隠れる様にしてキャビネット(１)に装着され、赤外線発光素子(33)をキャビネット(１)の孔(14)に嵌めている。
【００１２】
操作部領域(11)にはプリント配線基板(３)の上からボタンシート(４)が装着される。
ボタンシート(４)は、ボタンシート本体(41)と飾りシート(42)によって構成される。
ボタンシート本体(41)はシリコン樹脂にて良可撓性に形成され、前記プリント配線基板(３)の接電部(31)(31)との対応位置を隆起してボタン部(43)(43)を形成している。
【００１３】
図４に示す如く、ボタン部(43)の裏面には黒鉛を印刷によって層状に付着させた接点部(44)が形成されている。
ボタンシート本体(41)をプリント配線基板(３)に接合したとき、接点部(44)はプリント配線基板(３)の接電部(31)に僅かな隙間を存して対向する。
【００１４】
飾りシート(42)にはボタンシート本体(41)のボタン部(43)との対応位置に孔(45)が開設されており、飾りシート(42)をボタンシート本体(41)に接着すると飾りシート(42)の孔(45)からボタン部(43)が臨出する。
【００１５】
上記リモートコントローラは、蓋(２)を開いて乾電池(５)の出し入れを行う。
電池収容部(16)に乾電池(５)(５)を収容すればプリント配線基板(３)の乾電池用端子(34)(34)に接して並列に接続される。
ボタン部(43)を押圧してボタン部(43)の接点部(44)をプリント配線基板(３)の接電部(31)に接触させて通電する。
【００１６】
第２実施例(図５、図６)
ボタンシート(４)以外の構成は、上記第１実施例と同じである。
ボタンシート(４)は、合成樹脂シートをエンボス加工によって部分的に隆起させてボタン部(43)を形成した１枚もののシートにて形成されている。
図６に示す如く、ボタン部(43)の裏面には前記同様にして接点部(44)が形成されている。
ボタンシート(４)は１枚ものであるから、第１実施例の様にボタンシート本体(41)と飾りシート(42)からなるものに較べて、部品点数の削減とシートどうしの貼り合わせの手間が省ける。
【００１７】
第３実施例(図８)
図８に示すリモートコントローラのキャビネット(１)は、持ち手部領域(12)に格子状に受け部(17)がキャビネット(１)と一体形成されており、受け部(17)の裏面側に電池収容部(16)が形成されている。
プリント配線基板(３)は、ＩＣチップ(32)を含む電子部品群(35)が上記受け部(17)に隠れる様にしてキャビネット(１)の操作部領域(11)に装着される。
ボタンシート(４)は、第１実施例と同様にしてボタンシート本体(41)と飾りシート(42)とによって構成され、飾りシート(42)は持ち手部領域(12)側に延長して、前記受け部(17)に被さって接着される。
【００１８】
第４実施例(図９、図１０)
キャビネット(１)の長手方向に２本の単３乾電池(５)を直列に収容し、ボタンシート(４)の構成は第１実施例と同じとしたものである。
この場合、キャビネット(１)背面の電池挿脱用の開口(15)の大きさは、上記実施例と同様であるが、プリント配線基板(３)の裏面側にも乾電池収容部を形成している。
【００１９】
第５実施例(図１１)
キャビネット(１)の長手方向に２本の単３乾電池(５)を直列に収容し、ボタンシート(４)の構成は第２実施例と同じとしたものである。
【００２０】
上記第１乃至第５実施例において、共通しているのは、キャビネット(１)は、操作面側正面における操作部領域(11)の全面開口に対して、キャビネット(１)背面における持ち手部領域(12)の全面開口(15)は操作部領域(11)側に少し食いんで開設されていることであり、このため、図７示す如く、キャビネット正面側の金型部材(62)と背面側の金型部材(63)とによって構成される割金型(６)のキャビティ(61)に溶融樹脂を注入してアンダーカットを生じることなくキャビネット(１)を成形できる。
【００２１】
従来の様に、ボトムキャビネット(71)とトップキャビネット(72)の接合によってキャビネットを形成することに較べて、製造コストを低減できる。
キャビネット(１)に持ち手部領域(12)を設けたため、一方の手で該持ち手部領域(12)を掴み、他方の手で操作部領域(11)のボタン部(43)を操作できるので操作性がよい。
【００２２】
本発明の実施に際し、プリント配線基板(３)は、実施例の様に片面プリント配線基板を用いれば、両面配線基板に較べて配線基板の製造コストを低減できるが、両面配線基板を用いても可いの勿論である。
本発明は実施例の構成に限定されることはなく、特許請求の範囲に記載の範囲で種々の変形が可能である。
【図面の簡単な説明】
【図１】第１実施例のコントローラの分解斜面図である。
【図２】同上の電池収容部の斜面図である。
【図３】同上の正面図である。
【図４】同上の縦断面図である。
【図５】第２実施例の分解斜面図である。
【図６】同上の縦断面図である。
【図７】金型の断面図である。
【図８】第３実施例の分解斜面図である。
【図９】第４実施例の平面図である。
【図１０】同上の断面図である。
【図１１】第５実施例の断面図である。
【図１２】従来例の分解斜面図である。
【符号の説明】
(１)  キャビネット
(11)  操作領域
(12)  持ち手部領域
(15)  開口
(３)  プリント配線基盤
(４)  ボタンシート
(41)  ボタンシート本体
(42)  飾りシート
【図１】
0003768050.tif 000002
【図２】
0003768050.tif 000003
【図３】
0003768050.tif 000004
【図４】
0003768050.tif 000005
【図５】
0003768050.tif 000006
【図６】
0003768050.tif 000007
【図７】
0003768050.tif 000008
【図８】
0003768050.tif 000009
【図９】
0003768050.tif 000010
【図１０】
0003768050.tif 000011
【図１１】
0003768050.tif 000012
【図１２】
0003768050.tif 000013